(57)【要約】【課題】医用画像の読影レポートを作成するために必要な支援情報を教育的で効率的な情報として読影医師に提供することである。【解決手段】読影医師が医用画像読影システム１００を用いて医用画像を読影する際、制御装置２は、当該読影医師の総合評価と読影対象の医用画像の撮影条件とに基づいて、過去の読影レポートおよび関連医用画像と、読影レポート作成用テンプレートとを情報管理装置１から取得して当該読影対象の医用画像とともに制御装置２の表示部２３に表示する。【選択図】          図４
2004305551.tif 000002
【特許請求の範囲】
【請求項１】
患者を撮影した医用画像を表示し、当該医用画像に対する読影レポートを読影医師が作成するための医用画像読影システムにおいて、
前記読影レポートを作成する際に用いられる支援情報を読み出し可能に管理する情報管理装置と、
前記支援情報を用いるか否かの選択入力を行い、当該選択入力の結果に応じて前記支援情報を前記制御装置から読み出すか否かを制御する制御装置と、
を備えたことを特徴とする医用画像読影システム。
【請求項２】
前記制御装置は、各読影医師により行われた前記選択入力の結果を当該読影医師のＩＤに関連付けて保持し、入力された読影医師のＩＤに基づき前記選択入力の結果を参照して前記支援情報を前記情報管理装置から読み出すか否かを制御することを特徴とする請求項１に記載の医用画像読影システム。
【請求項３】
患者を撮影した医用画像を表示し、当該医用画像に対する読影レポートを読影医師が作成するための医用画像読影システムにおいて、
読影医師の経験および／または能力に対する読影医師評価情報を管理するとともに、前記読影レポートを作成する際に用いられる支援情報を読み出し可能に管理する情報管理装置と、
前記支援情報を用いるか否かの選択入力を行い、当該選択入力の結果に応じて前記支援情報を前記制御装置から読み出すか否か制御する制御装置と、
を備え、
前記情報管理装置は、入力された読影医師のＩＤに基づいて前記読影医師評価情報を参照し、当該参照結果に基づいて当該読影医師に対する支援情報を選択することを特徴とする医用画像読影システム。
【請求項４】
前記読影医師評価情報には、読影医師の経験および／または能力を示す評価レベルが複数設定され、このうち少なくとも一つの評価レベルは、前記情報管理装置が前記支援情報を選択しないことを示すものであることを特徴とする請求項３に記載の医用画像読影システム。
【請求項５】
前記支援情報には、前記読影レポートの文書入力を案内するための読影レポート作成用テンプレート、および／または、参照用に例示するための医用画像が含まれることを特徴とする請求項３または４に記載の医用画像読影システム。
【発明の詳細な説明】
【０００１】
【発明の属する技術分野】
本発明は、放射線画像などの医用画像を読影するための医用画像読影システムに関する。
【０００２】
【従来の技術】
近時、放射線画像などの医用画像を読影する際に必要な支援情報を、読影医師に対し容易に提供可能な技術が考案されている（特許文献１、２、３を参照。）。
【０００３】
例えば、特許文献１には、オペレータが介在することなく読影の参照にすべき過去の画像や典型的な症例画像を用意して読影に備える技術が開示され、特許文献２には、病理学の未習熟者であっても、病理検査に必要な客観的な支援情報を病理組織画像から容易に取得し、病理検査の業務の効率化を図る技術が開示されている。また、特許文献３には、診療中の患者の病状の特徴を表す情報を検索キーとし、過去の実在の患者の病理概要、診療情報などを保持するデータベースを検索し、病状に対応するような病歴概要、診療情報などを抽出してワークステーション上に表示する技術が開示されている。
【０００４】
【特許文献１】
特開２００１―１８７０４４号公報
【特許文献２】
特開平６―９４７０６号公報
【特許文献３】
特開平７―５６９４７号公報
【０００５】
【発明が解決しようとする課題】
ところで、上記したような従来技術には次のような問題点がある。すなわち、上記従来技術では、医用画像の読影に必要な支援情報は読影医師の経験および／または能力（以下、まとめてスキルという。）によらず一律に提供されるため、提供される支援情報は、スキルが不足している読影医師にとっては利用が困難であったり、また、スキルに長けている読影医師にとっては特に必要無いものであったりする。したがって、スキルが不足している読影医師にとり教育的で効率的な支援情報の提供が困難であった。
【０００６】
本発明の課題は、医用画像の読影レポートを作成するために必要な支援情報を教育的で効率的な情報として読影医師に提供することである。
【０００７】
【課題を解決するための手段】
上記課題を解決するため、請求項１記載の発明は、
患者を撮影した医用画像を表示し、当該医用画像に対する読影レポートを読影医師が作成するための医用画像読影システムにおいて、
前記読影レポートを作成する際に用いられる支援情報を読み出し可能に管理する情報管理装置と、
前記支援情報を用いるか否かの選択入力を行い、当該選択入力の結果に応じて前記支援情報を前記制御装置から読み出すか否かを制御する制御装置と、
を備えたことを特徴とする。
【０００８】
さらに、請求項２に記載の発明のように、請求項１に記載の発明において、
前記制御装置は、各読影医師により行われた前記選択入力の結果を当該読影医師のＩＤに関連付けて保持し、入力された読影医師のＩＤに基づき前記選択入力の結果を参照して前記支援情報を前記情報管理装置から読み出すか否かを制御するのが好ましい。
【０００９】
また、上記課題を解決するため、請求項３に記載の発明は、
患者を撮影した医用画像を表示し、当該医用画像に対する読影レポートを読影医師が作成するための医用画像読影システムにおいて、
読影医師の経験および／または能力に対する読影医師評価情報を管理するとともに、前記読影レポートを作成する際に用いられる支援情報を読み出し可能に管理する情報管理装置と、
前記支援情報を用いるか否かの選択入力を行い、当該選択入力の結果に応じて前記支援情報を前記制御装置から読み出すか否か制御する制御装置と、
を備え、
前記情報管理装置は、入力された読影医師のＩＤに基づいて前記読影医師評価情報を参照し、当該参照結果に基づいて当該読影医師に対する支援情報を選択することを特徴とする。
【００１０】
さらに、請求項４に記載の発明のように、請求項３に記載の発明において、
前記読影医師評価情報には、読影医師の経験および／または能力を示す評価レベルが複数設定され、このうち少なくとも一つの評価レベルは、前記情報管理装置が前記支援情報を選択しないことを示すものであるのが好ましい。
【００１１】
さらに、請求項５に記載の発明のように、請求項３または４に記載の発明において、
前記支援情報には、前記読影レポートの文書入力を案内するための読影レポート作成用テンプレート、および／または、参照用に例示するための医用画像が含まれるのが好ましい。
【００１２】
したがって、医用画像の読影レポートを作成するために必要な支援情報として、担当する読影医師の読影医師評価情報と当該医用画像の撮影条件とに基づいた読影レポートおよび医用画像と、読影レポート作成用テンプレートとが、当該読影対象の医用画像とともに制御装置に表示されるので、医用画像の読影に必要な支援情報は読影医師のスキル（経験および／または能力）に応じて容易且つ適切に提供されるため、スキルが不足している読影医師にとって教育的で効率的な支援情報の提供が実現できる。また、支援情報を用いるか否かの選択が可能なので、支援情報を必要としない熟練した読影医師と、支援情報が必要な若い読影医師とに応じて使い分けができて非常に便利である。
【００１３】
【発明の実施の形態】
以下、図面を参照して本発明を適用した一実施の形態について詳細に説明する。
まず、図１を参照して医用画像読影システム１００の概略構成を説明する。図１は、医用画像読影システム１００の概略構成を示すブロック図である。
【００１４】
図１に示すように、医用画像読影システム１００は、情報管理装置１、制御装置２などを備える。これら情報管理装置１、制御装置２などは複数設置可能であり、病院施設内に構築されたＬＡＮ（Ｌｏｃａｌ  Ｅｒｅａ  Ｎｅｔｗｏｒｋ）やＷＡＮ（Ｗｉｄｅ  Ｅｒｅａ  Ｎｅｔｗｏｒｋ）などの通信ネットワークＮを介してデータの送受信が相互に行える。
【００１５】
情報管理装置１は、病院内業務に係る各種情報（例えば、後述する患者情報や読影医師評価情報など。）を読み出しや編集可能に格納する。制御装置２は、情報管理装置１から医用画像を取得して表示すると共に、読影医師による医用画像に対する読影レポートの入力を行う。この読影レポートは情報管理装置１に送信されて保存される。
【００１６】
次に、図２、図３を参照し、情報管理装置１、制御装置２の構成について詳細に説明する。図２に、情報管理装置１の内部構成を示し、図３に、制御装置２の内部構成を示す。
【００１７】
まず、情報管理装置１の構成を説明する。
図２に示すように、情報管理装置１は、制御部１１、入力部１２、表示部１３、通信制御部１４、ＲＡＭ１５、記憶部１６などを備えて構成され、これら各部はバス１７により接続されている。
【００１８】
制御部１１は、記憶部１６に格納された各種プログラムを読み出して実行する。制御部１１は、特に、図４に示す情報処理シーケンスを実行するためのプログラムを記憶部１６から読み出して実行する。
【００１９】
入力部１２は、カーソルキー、数字入力キーおよび各種機能キーなどを備えたキーボードと、マウスなどのポインティングデバイスを備えて構成され（何れも図示略。）、キーボードに対するキー操作やマウス操作により入力された指示信号を制御部１１に出力する。また、入力部１２は、表示部１３の表示画面（図示略。）にタッチパネルを備えても良く、この場合、タッチパネルを介して入力された指示信号を制御部１１に出力する。
【００２０】
表示部１３は、図示しないＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などの表示画面を備え、制御部１１による表示制御信号に応じて各種表示用データを表示する。
【００２１】
通信制御部１４は、ＬＡＮボード、ルータあるいはＴＡ（Ｔｅｒｍｉｎａｌ  Ａｄａｐｔｅｒ）などにより構成され（何れも図示略。）、通信ネットワークＮに接続された各装置との間で行われる通信を制御する。
【００２２】
ＲＡＭ（Ｒａｎｄｏｍ  Ａｃｃｅｓｓ  Ｍｅｍｏｒｙ）１５は、制御部１１により記憶部１６から読み出された各種プログラムを実行可能に展開して格納する。また、ＲＡＭ１５は、制御部１１によるプログラム実行時に生じる各種データを一時的に格納する。
【００２３】
記憶部１６は、例えば、ＨＤＤ（Ｈａｒｄ  Ｄｉｓｃ  Ｄｒｉｖｅ）などの書込／消去自在な不揮発性の半導体メモリにより構成され、各種プログラムおよび各種データを格納する。記憶部１６は、特に、図４に示す情報処理シーケンスを実行するためのプログラムを格納する。
【００２４】
記憶部１６は、患者情報、読影医師評価情報、スキルテーブル情報、読影レポート作成用テンプレートリスト情報、読影レポート作成用テンプレート、レポート情報、画像情報などの各種情報を読み出し／編集可能に格納する。
【００２５】
患者情報には、患者名（ＩＤ）、撮影された医用画像の画像番号、撮影日時、撮影条件（例えば、モダリティ、撮影部位、撮影枚数など。）、読影済みか否かを示すフラグなどの情報が含まれ、読影医師評価情報には、読影医師名（ＩＤ）、実績（例えば、読影レポート作成回数、レポート作成平均時間など。）、読影レポートに対するレポート平均評価、総合評価など、読影医師のスキルを示す情報が含まれる。スキルテーブル情報には、総合評価に基づいて読影レポート作成時に例示する過去の読影レポートのレポート評価などの情報（例えば、総合評価が「Ｃ＋」の読影医師に例示する読影レポートのレポート評価は「Ａ−」であるなど。）が含まれ、読影レポート作成用テンプレートリスト情報には、テンプレート名、テンプレート番号、各テンプレートに該当する撮影条件および総合評価などの情報が含まれる。読影レポート作成用テンプレートには、読影レポート作成用テンプレート、テンプレート番号、テンプレート記入例、テンプレートが有する各記入欄に対する記入内容などの情報が含まれ、レポート情報には、読影レポート、レポート番号、読影医師名（ＩＤ）、作成日時、画像番号、撮影条件、レポート評価などの情報が含まれ、画像情報には、医用画像、画像番号などの情報が含まれる。
【００２６】
ここで、上記読影医師評価情報に含まれるレポート平均評価、総合評価やレポート情報に含まれるレポート評価は、何れも、複数の評価レベルによって表現され、担当管理者により、実績などを考慮して設定入力される。レポート情報に含まれるレポート番号は、読影レポートが制御装置２から情報管理装置１に送信された時点で情報管理装置１の制御部１１により自動的に番号付けされる。
【００２７】
なお、記憶部１６は、各種プログラムおよび各種データが予め格納された記録媒体（図示略。）を備えるような構成であっても良い。この記録媒体は、記憶部１６に固定的あるいは着脱自在に設けられ、磁気的記録媒体、光学的記録媒体あるいは半導体メモリで構成された不揮発性メモリである。
【００２８】
次に、制御装置２の構成について説明する。
図４に示すように、制御装置２は、制御部２１、入力部２２、表示部２３、通信制御部２４、ＲＡＭ２５、記憶部２６、画像処理部２７を備えて構成され、これら各部はバス２８により接続されている。
【００２９】
制御部２１は、記憶部２６に格納された各種プログラムを読み出して実行する。制御部２１は、特に、図４に示す情報処理シーケンスを実行するためのプログラムを記憶部２６から読み出して実行する。
【００３０】
制御部２１は、情報管理装置１から取得した医用画像に対し、当該医用画像に係る撮影条件（情報管理装置１から取得する。）に応じた処理パターン（周波数処理、階調処理、回転処理、拡大・縮小処理などを含む。）を選択して当該処理パターンに基づく画像処理（圧縮・伸張処理を含む。）を画像処理部２７に行わせる。ここで、上記撮影条件に応じた処理パターンを示す情報は記憶部２６に予め格納されている。
【００３１】
入力部２２は、カーソルキー、数字入力キーおよび各種機能キーなどを備えたキーボードと、マウスなどのポインティングデバイスを備えて構成され（何れも図示略。）、キーボードに対するキー操作やマウス操作により入力された指示信号を制御部２１に出力する。また、入力部２２は、表示部２３の表示画面（例えば、表示画面２３ａ。）にタッチパネルを備えても良く、この場合、タッチパネルを介して入力された指示信号を制御部２１に出力する。
【００３２】
表示部２３は、ＬＣＤやＣＲＴなどの表示画面（例えば、表示画面２３ａ。）を備え、制御部２１による表示制御信号に応じて各種表示用データを表示する。
【００３３】
通信制御部２４は、ＬＡＮボード、ルータあるいはＴＡなどにより構成され（何れも図示略。）、通信ネットワークＮに接続された各装置との間で行われる通信を制御する。
【００３４】
ＲＡＭ２５は、制御部２１によって記憶部２６から読み出された各種プログラムを実行可能に展開して格納する。また、ＲＡＭ２５は、制御部２１によるプログラム実行時に生じる各種データを一時的に格納する。
【００３５】
記憶部２６は、ＨＤＤなどの不揮発性の半導体メモリにより構成され、各種プログラムおよび各種データを格納する。記憶部２６は、特に、図４に示す情報処理シーケンスを実行するためのプログラムを格納する。そして、記憶部２６は、撮影条件に応じて画像処理を行うための処理パターンを複数格納する。
【００３６】
記憶部２６は、各種プログラムおよび各種データが予め格納された記録媒体（図示略。）を備えるような構成であっても良い。この記録媒体は、記憶部２６に固定的あるいは着脱自在に設けられ、磁気的記録媒体、光学的記録媒体あるいは半導体メモリで構成された不揮発性メモリである。
【００３７】
画像処理部２７は、制御部２１による制御に基づき、情報管理装置１から取得した医用画像に対し、当該医用画像に係る撮影条件に応じた処理パターンを選択して当該処理パターンに基づく画像処理（圧縮・伸張処理を含む。）を行う。
【００３８】
次に、図４を参照して情報管理装置１および制御装置２の動作を説明する。
図４は、情報管理装置１と制御装置２との間で実行される情報処理シーケンスを示す図である。
【００３９】
制御装置２の制御部２１は、読影医師により指定された患者名（ＩＤ）や撮影日時などの情報を情報管理装置１に送信し、当該患者名（ＩＤ）や撮影日時に合致する患者情報を情報管理装置１にリクエストする（ステップＳ１）。なお、この場合、例えば、図５の表示画面２３ａに示す「患者リスト」入力キーＡ１１がマウスあるいはタッチパネルを介してキー入力されると、情報管理装置１の記憶部１６に格納されている患者情報のうち未読影の医用画像の画像番号に対応する患者情報が情報管理装置１にリクエストされるようにしても良い。
ここで、表示画面２３ａは、表示部２３に表示される表示画面である。以下、表示画面２３ａを例に説明する。
【００４０】
情報管理装置１の制御部１１は、制御装置２から上記患者情報のリクエストを受信すると、当該リクエストされた患者情報（未読影のもの。）、すなわち、患者名（ＩＤ）、医用画像の画像番号、撮影日時あるいは撮影条件などの情報を制御装置２に送信する（ステップＳ２）。
【００４１】
次に、制御部２１は、送信された患者情報を表示部２３の表示画面２３ａの患者情報領域Ａ３にリスト表示する。この後、表示画面２３ａの「読影」入力キーＡ１２がマウスあるいはタッチパネルを介してキー入力されると、制御部２１は、当該リスト表示されている患者情報のうち、指定された患者情報の医用画像の画像番号を情報管理装置１に送信して当該医用画像を情報管理装置１にリクエストする（ステップＳ３）。
【００４２】
制御部１１は、制御装置２から上記医用画像のリクエストを受信すると、リクエストされた医用画像を、受信した当該医用画像の画像番号をキーに検索して制御装置２に送信する（ステップＳ４）。
【００４３】
その後、制御部２１は、情報管理装置１から上記リクエストした医用画像を受信すると、当該医用画像を表示画面２３ａの画像表示領域Ａ２に表示する。
【００４４】
その後、制御部２１は、表示画面２３ａの「レポート」入力キーＡ１３がマウスあるいはタッチパネルを介してキー入力されると、読影医師名（ＩＤ）と画像表示領域Ａ２に表示中の医用画像に係る画像番号とを情報管理装置１に送信する（ステップＳ５）。すなわち、制御部２１は、読影レポートを作成するための支援情報を情報管理装置１に対してリクエストする。情報管理装置１から取得された支援情報は、後述する読影レポート例領域Ａ４、読影レポート作成入力領域Ａ５および画像例表示領域Ａ１の各表示領域に表示される。
【００４５】
ここで、「レポート」入力キーＡ１３がキー入力されると、制御部２１は、まず、支援情報を用いるか否かの選択入力を行うための入力キー（図示略。）を表示し、支援情報を用いない旨の選択入力がキー入力された場合には支援情報を情報管理装置１から取得せず、支援情報を用いる旨の選択入力がキー入力された場合には情報管理装置１に支援情報を取得するための以下に説明する処理を情報管理装置１とともに実行する。
なお、支援情報を利用する／しないを示すフラグが読影医師に応じて予め設定されていても良い。
【００４６】
すなわち、支援情報を用いる場合、制御部１１は、支援情報を取得することを示す情報とともに制御装置２から送信された読影医師名（ＩＤ）と画像番号とを受信すると、記憶部１６に格納された読影医師評価情報に基づいてこの読影医師名（ＩＤ）に対する総合評価を割り出し、当該割り出した総合評価に基づいて当該読影医師に例文として提示する読影レポートのレポート評価を記憶部１６に格納されたスキルテーブル情報に基づいて割り出す。そして、制御部１１は、当該割り出したレポート評価と上記制御装置２から受信した画像番号の医用画像に係る撮影条件とに合致（あるいは、略合致）する過去の読影レポートおよび関連医用画像を記憶部１６に格納されたレポート情報および画像情報から抽出する。また、制御部１１は、当該総合評価および撮影条件に合致（あるいは、略合致）するテンプレート名およびテンプレート番号を、記憶部１６に格納された読影レポート作成用テンプレートリスト情報から抽出する。
【００４７】
この場合、読影医師評価情報の複数の評価レベルのうち、少なくとも一つの評価レベルは、支援情報を用いない旨を示すフラグとしての役割を有するものとしても良い。このような評価レベルの場合、制御部１１は制御装置２に支援情報の送信を行わない。
【００４８】
その後、制御部１１は、上記抽出した過去の読影レポートおよび関連医用画像とテンプレート名およびテンプレート番号とを制御装置２に送信する（ステップＳ６）。
【００４９】
制御部２１は、情報管理装置１から上記過去の読影レポートおよび関連医用画像とテンプレート名およびテンプレート番号とを受信すると、当該過去の読影レポートの内容を表示画面２３ａの読影レポート例領域Ａ４に表示し、関連医用画像を画像例表示領域Ａ１に表示し、テンプレート名およびテンプレート番号を表示画面２３ａの読影レポート作成入力領域Ａ５に表示する。図６には、一例として、テンプレート名「脳に腫瘍がある場合」およびテンプレート番号「００１０１」が読影レポート作成入力領域Ａ５に表示されている様子が示されている。
このようにして、読影レポートを作成する際の支援情報が、読影レポート例領域Ａ４、読影レポート作成入力領域Ａ５および画像例表示領域Ａ１の各表示領域に表示される。
【００５０】
上記読影レポート作成入力領域Ａ５に表示されたテンプレート名「脳に腫瘍がある場合」およびテンプレート番号「００１０１」などは、マウスあるいはタッチパネルを介してキー入力が可能に表示（ＷＥＢ表示）されている。すなわち、テンプレート名「脳に腫瘍がある場合」およびテンプレート番号「００１０１」がマウスあるいはタッチパネルを介してキー入力されると、制御部２１は、当該テンプレート番号に合致する読影レポート作成用テンプレートと、この読影レポート作成用テンプレートに係るテンプレート記入例および各記入欄に対する記入内容とを情報管理装置１にリクエストする。
【００５１】
その後、制御部１１は、制御装置２からリクエストされた上記読影レポート作成用テンプレートと、この読影レポート作成用テンプレートに係るテンプレート記入例および各記入欄に対する記入内容とを、記憶部１６に格納された読影レポート作成用テンプレートから抽出して制御装置２に送信する（ステップＳ８）。
【００５２】
その後、制御部２１は、上記情報管理装置１から受信した読影レポート作成用テンプレートを読影レポート作成入力領域Ａ５に表示する。図７には、一例として、テンプレート名「脳に腫瘍がある場合」の読影レポート作成用テンプレート「＜部位＞の＜場所＞に＜大きさ＞ｃｍの腫瘍がみられます。＜画種＞では＜様子＞を示しています。」が読影レポート作成入力領域Ａ５に表示されている様子が示されている。この読影レポート作成用テンプレートに表示されている「部位」、「場所」、「大きさ」、「画種」、「様子」の各記入欄はマウスあるいはタッチパネルを介してキー入力が可能に表示（ＷＥＢ表示）されている。
【００５３】
制御部２１は、図７に示す読影レポート作成入力領域Ａ５の「記入例」入力キーＡ５１がマウスあるいはタッチパネルを介してキー入力されると、上記情報管理装置１から受信したテンプレート記入例を読影レポート作成入力領域Ａ５に表示し、「部位」、「場所」、「大きさ」、「画種」、「様子」の各記入欄の何れかがマウスあるいはタッチパネルを介してキー入力されると、情報管理装置１から受信した上記各記入欄に対する記入内容を読影レポート作成入力領域Ａ５に表示する。
【００５４】
図８には、一例として、「＜脳＞の＜左大脳半球＞に＜２〜４＞ｃｍの腫瘍がみられます。＜Ｔ２強調像＞では＜比較的低信号＞を示しています。」というテンプレート記入例が読影レポート作成入力領域Ａ５に表示されている様子が示されている。
【００５５】
また、図９には、一例として、「場所」の記入欄に対する記入内容（「左大脳半球」、「右大脳半球」、「小脳」、・・。）が読影レポート作成入力領域Ａ５に表示されている様子が示されている。これら各記入欄に対する記入内容は、マウスあるいはタッチパネルを介してキー入力が可能に表示（ＷＥＢ表示）されている。例えば、図８の読影レポート作成入力領域Ａ５に表示されている「左大脳半球」がマウスあるいはタッチパネルを介してキー入力されると、図７の読影レポート作成入力領域Ａ５に表示されている「場所」の記入欄には「左大脳半球」が記入される。
【００５６】
読影医師は、上記のような読影レポート作成用テンプレートに従って読影レポートを作成する。
【００５７】
その後、制御部２１は、作成された読影レポートを、担当した読影医師名（ＩＤ）、医用画像の画像番号、当該読影レポートの作成日時などの情報とともに情報管理装置１に送信する（ステップＳ９）。制御部１１は、当該受信した情報に基づいて記憶部１６に格納されたレポート情報を更新する。
【００５８】
以上説明したように、読影医師が医用画像読影システム１００を用いて医用画像を読影する際、制御装置２は、当該読影医師の総合評価と読影対象の医用画像の撮影条件とに基づいて、過去の読影レポートおよび関連医用画像と、読影レポート作成用テンプレートとを情報管理装置１から取得して当該読影対象の医用画像とともに制御装置２の表示部２３に表示する。
【００５９】
従って、医用画像の読影に必要な支援情報として、担当する読影医師の総合評価と当該医用画像の撮影条件とに基づいた過去の読影レポートおよび関連医用画像と読影レポート作成用テンプレートとが、制御装置２の表示部２３の表示画面２３ａに当該読影対象の医用画像とともに表示されるので、医用画像の読影に必要な支援情報は読影医師のスキルに応じて容易且つ適切に提供されるため、スキルが不足している読影医師にとって教育的で効率的な支援情報の提供が実現できる。また、支援情報を用いるか否かの選択が可能なので、支援情報を必要としない熟練した読影医師と、支援情報が必要な若い読影医師とに応じて使い分けができて非常に便利である。
【００６０】
なお、本実施の形態における記述は、本発明に係る医用画像読影システムの一例を示すものであり、これに限定されるものではない。本実施の形態における医用画像読影システム１００の細部構成および詳細動作に関しては、本発明の趣旨を逸脱しない範囲で適宜変更可能である。
【００６１】
例えば、表示画面２３ａの表示レイアウトなども本実施の形態に限定されるものではない。
【００６２】
また、医用画像の読影に必要な支援情報として、担当する読影医師の総合評価と当該医用画像の撮影条件とに基づいた過去の読影レポートおよび関連医用画像と読影レポート作成用テンプレートとが、制御装置２の表示部２３の表示画面２３ａに当該読影対象の医用画像とともに表示されれば良く、このような過去の読影レポートおよび関連医用画像と読影レポート作成用テンプレートとを抽出する際の詳細な手続きについては本実施の形態の内容に限定されるものではない。
【００６３】
また、情報管理装置１と制御装置２とが別体であるとしたが、これに限らず、情報管理装置１と制御装置２とを一体の装置として構成するようにしても良い。
【００６４】
【発明の効果】
本発明によれば、医用画像の読影レポートを作成するために必要な支援情報として、担当する読影医師の読影医師評価情報と当該医用画像の撮影条件とに基づいた読影レポートおよび医用画像と、読影レポート作成用テンプレートとが、当該読影対象の医用画像とともに制御装置に表示されるので、医用画像の読影に必要な支援情報は読影医師のスキル（経験および／または能力）に応じて容易且つ適切に提供されるため、スキルが不足している読影医師にとって教育的で効率的な支援情報の提供が実現できる。また、支援情報を用いるか否かの選択が可能なので、支援情報を必要としない熟練した読影医師と、支援情報が必要な若い読影医師とに応じて使い分けができて非常に便利である。
【図面の簡単な説明】
【図１】本発明を適用した医用画像読影システムの概略構成を示すブロック図である。
【図２】図１に示す情報管理装置の内部構成を示すブロック図である。
【図３】図１に示す制御装置の内部構成を示すブロック図である。
【図４】本発明を適用した医用画像読影システムにより実行される情報処理シーケンスを示す図である。
【図５】図３に示す表示部に表示される表示画面の一例である。
【図６】図５に示す読影レポート作成入力領域の表示内容の一例を示す図である。
【図７】図５に示す読影レポート作成入力領域の表示内容の一例を示す図である。
【図８】図５に示す読影レポート作成入力領域の表示内容の一例を示す図である。
【図９】図５に示す読影レポート作成入力領域の表示内容の一例を示す図である。
【符号の説明】
１  情報管理装置
２  制御装置
１１  制御部
１２  入力部
１３  表示部
１４  通信制御部
１５  ＲＡＭ
１６  記憶部
１７  バス
２１  制御部
２２  入力部
２３  表示部
２４  通信制御部
２５  ＲＡＭ
２６  記憶部
２７  画像処理部
２８  バス
１００  医用画像読影システム
Ｎ  通信ネットワーク
【図１】
2004305551.tif 000003
【図２】
2004305551.tif 000004
【図３】
2004305551.tif 000005
【図４】
2004305551.tif 000006
【図５】
2004305551.tif 000007
【図６】
2004305551.tif 000008
【図７】
2004305551.tif 000009
【図８】
2004305551.tif 000010
【図９】
2004305551.tif 000011